【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
ディスプレイデバイスであって、該ディスプレイデバイスは、
透明な基板と、
第１の透明な電極層および第２の透明な電極層であって、該第１の透明な電極層は、少なくとも該透明な基板の上側に配置され、該第２の透明な電極層は、該透明な基板の底側に配置され、該第１の電極層は、複数の電極区分に再分割されている区分配列を形成し、該電極区分は、複数の電極グループが形成されるように互いに連結されている、第１の透明な電極層および第２の透明な電極層と、
第１および第２の動作モードで動作されることが可能である制御回路網と
を含み、
該第１の動作モードにおいて、該電極区分は、タッチ検出のために使用され、該第２の動作モードにおいて、該第２の透明な電極層は、該ディスプレイデバイスの前の領域において交互のフィールドを生成するための信号を受信し、該第１の電極層の少なくとも２つの電極グループは、選択されて、該ディスプレイデバイスの前の該領域においてユーザーの指の非接触位置または動き検出を行うように使用される、ディスプレイデバイス。
【請求項２】
前記電極グループは、複数の電極行および電極列を含む、請求項１に記載のディスプレイデバイス。
【請求項３】
前記第１および第２の動作モードの間を切り換えることは、マルチプレクサデバイスによって実施される、請求項２に記載のディスプレイデバイス。
【請求項４】
前記第１の動作モードは、接触が検出される間に維持される、請求項３に記載のディスプレイデバイス。
【請求項５】
前記第２の動作モードは、接触が検出されない間に維持される、請求項３に記載のディスプレイデバイス。
【請求項６】
前記第２の動作モードにおいて、最初に、おおよその接近検出が実施され、十分に明確な接近状態の検出のときにのみ、より感度の良い位置検出が実施される、請求項１に記載のディスプレイデバイス。
【請求項７】
前記第２の動作モードにおいて、交互の電極区分グループは、センサー電極として役立つ、請求項１に記載のディスプレイデバイス。
【請求項８】
前記第２の動作モードにおいて、Ｙ位置を検出するために、上部の水平方向区分鎖を構成している電極区分グループが有効にされ、および／または、下部の水平方向区分鎖を構成している電極区分グループが有効にされる、請求項１に記載のディスプレイデバイス。
【請求項９】
前記第２の動作モードにおいて、左の垂直方向区分鎖を構成している電極区分グループが、Ｘ位置を検出するために有効にされる、請求項１に記載のディスプレイデバイス。
【請求項１０】
前記第２の動作モードにおいて、右の垂直方向区分鎖を構成している電極区分グループが、Ｘ位置を検出するために有効にされる、請求項１に記載のディスプレイデバイス。
【請求項１１】
前記第２の動作モードにおいて、ＸおよびＹ位置を検出するために、横切るようにまたは互いに直角に整列された電極グループから得られる信号値が使用される、請求項１に記載のディスプレイデバイス。
【請求項１２】
前記第２の動作モードにおいて、電極グループは、前記ディスプレイデバイスの走査が行を移動する態様または列を移動する態様で行われるように、連続的に選択される、請求項１に記載のディスプレイデバイス。
【請求項１３】
前記第１の動作モードにおいて、各場合において、２つの電極区分グループが形成され、該２つの電極区分グループの容量性カップリングが検出されて、タッチ位置が該容量性カップリングから決定される、請求項１に記載のディスプレイデバイス。
【請求項１４】
タッチパッド構成要素であって、該タッチパッド構成要素は、
支持層と、
少なくとも該支持層の上側に配置されている第１の電極層であって、該第１の電極層は、複数の電極区分に再分割され、該電極区分は、区分行と区分列とを含む複数の電極区分グループが形成されるように、連結されることが可能である、第１の電極層と、
基板層の底側に配置されている第２の電極層と、
第１および第２の動作モードで動作するように構成された制御回路網と
を含み、
該第１の動作モードにおいて、該電極区分は、タッチ検出のために使用され、該第２の動作モードにおいて、該第２の電極層は、該タッチパッド構成要素の前の領域において交互のフィールドを生成するための信号を受信し、該第１の電極層の少なくとも２つの電極区分グループは、選択されて、該タッチパッド構成要素の前の領域においてユーザーの指の非接触位置または動き検出を行うように使用される、タッチパッド構成要素。
【請求項１５】
タッチパッド構成要素に対するユーザーの指の動きに関連した入力信号を生成する方法であって、該タッチパッド構成要素は、支持層と、少なくとも該支持層の上側に配置されている第１の電極層と、基板層の底側に配置されている第２の電極層とを含み、該第１の電極層は、複数の電極区分に再分割され、該電極区分は、複数の電極区分グループが形成されることが可能であるように、連結されることが可能であり、第１の動作モードにおいて、該電極区分は、タッチ検出のために使用され、第２の動作モードにおいて、該第２の電極層は、該タッチパッド構成要素の前の領域において交互のフィールドを生成するための信号を受信し、該第１の電極層の少なくとも２つの電極区分グループは、選択されて、該タッチパッド構成要素の前の領域において該ユーザーの指の非接触位置または動き検出を行うように使用される、方法。
【手続補正２】
【補正対象書類名】明細書
【補正対象項目名】００３０
【補正方法】変更
【補正の内容】
【００３０】
さらなる解決概念に従って、本発明は、タッチパッド構成要素にも関連する。タッチパッド構成要素は、支持層と、支持層に接続された電極層とを含む。電極層は、複数の電極区分に再分割され、これらの電極区分は、区分行および区分列を含む区分配列を形成する。タッチパッド構成要素は、解釈回路網をさらに含み、その解釈回路網は、接触検出が、電極層の電極区分によって実施される回路網状態を採用し得るように設計される。そのうえ、解釈回路網は、ユーザーの指の非接触位置または動き検出が、タッチパッド構成要素の前の領域において実施され得る回路網状態を採用することを可能にする。非接触位置または動き検出は、区分配列のいくつかの電極区分の行および列のような電極区分グループへの結合を用いて実施される。構造上のこのタッチパッド構成要素は、ディスプレイデバイスに関して以前に説明されたように設計され得る。このタッチパッド構成要素は、タッチパッドを具体化するために使用され得、そのタッチパッドは、非接触位置検出をさらに可能にする。そのようなタッチパッドは、例えばノートパソコンにおいて、タッチパッドにとって今のところ一般的な統合位置に統合され得る。タッチモードおよびさらにノンタッチモードにおける指の位置の結合検出のための本発明に従った構造は、局部的な制限された領域においてそれぞれの入力ゾーン（つまり、ノンタッチ相互作用も可能にする入力ゾーン）をここで具体化するために、他のデバイス（特に、家具および乗物の内部）にも統合され得る。
本願明細書は、例えば、以下の項目も提供する。
（項目１）
ディスプレイデバイスであって、該ディスプレイデバイスは、
パネル層（１）と、
該パネル層（１）に接続されている透明な電極層であって、該電極層は、複数の電極区分（２）に再分割され、該電極区分（２）は、区分行と区分列とを含む区分配列を形成している、透明な電極層と、
解釈回路網（１０）と
を含み、該解釈回路網（１０）は、該解釈回路網（１０）によって、ユーザーの指の非接触位置または動き検出が、該ディスプレイデバイスの前の領域において実施されることがあるように形成され、該非接触位置または動き検出は、該区分配列のうちのいくつかの電極区分（２）を行または列のような電極区分グループ（Ｚ１．．．Ｚ５、Ｓ１．．．Ｓ９）に結合させることによって、実施される、
ディスプレイデバイス。
（項目２）
前記解釈回路網（１０）は、該解釈回路網（１０）が、接触検出が前記電極層の前記電極区分（２）によって実施される回路網状態を採用することがあるように形成されていることを特徴とする、項目１に記載のディスプレイデバイス。
（項目３）
接触の位置を検出するため前記回路網状態と、接触なしの位置または動き検出のための切り換え状態との間を切り換えることが、マルチプレクサデバイスによって実施されることを特徴とする、項目２に記載のディスプレイデバイス。
（項目４）
接触なしの位置または動き検出の動作条件に入るサイクルの部分が、接触が検出される間は、０に設定されるかまたは縮小されることを特徴とする、項目３に記載のディスプレイデバイス。
（項目５）
ディスプレイ接触の位置検出の動作条件に入る前記サイクルの部分が、接触が検出されない間は、縮小されることを特徴とする、項目３または４に記載のディスプレイデバイス。
（項目６）
接触なしの位置または動き検出が意図されている前記切り換え状態において、最初に、おおよその接近検出が実施され、十分に明確な接近状態の検出のときにのみ、より感度の良い位置検出が実施されることを特徴とする、項目１〜５の１つに記載のディスプレイデバイス。
（項目７）
接触なしの位置または動き検出が意図されている前記切り換え状態において、交互の電極区分グループが、センサー電極として役立つことを特徴とする、項目１〜６の１つに記載のディスプレイデバイス。
（項目８）
接触なしの位置または動き検出が意図されている前記切り換え状態において、上部の水平方向区分鎖を構成している電極区分グループ（Ｚ１）が、Ｙ位置を検出するために、有効にされること、および／または、接触なしの位置または動き検出が意図されている該切り換え状態において、下部の水平方向区分鎖を構成している電極区分グループ（Ｚ５）が、Ｙ位置を検出するために、有効にされることを特徴とする、項目１〜７の１つに記載のディスプレイデバイス。
（項目９）
接触なしの位置または動き検出が意図されている前記切り換え状態において、左の垂直方向区分鎖（Ｓ１）を構成している電極区分グループが、Ｘ位置を検出するために、有効にされることを特徴とする、項目１〜８の１つに記載のディスプレイデバイス。
（項目１０）
接触なしの位置または動き検出が意図されている前記切り換え状態において、右の垂直方向区分鎖（Ｓ９）を構成している電極区分グループが、Ｘ位置を検出するために、有効にされることを特徴とする、項目１〜９の１つに記載のディスプレイデバイス。
（項目１１）
接触なしの位置または動き検出が意図されている前記切り換え状態において、ＸおよびＹ位置を検出するために、互いに横切るように、特に、互いに直角に整列された電極区分グループから得られるレベル値が使用されることを特徴とする、項目１〜１０の１つに記載のディスプレイデバイス。
（項目１２）
ノンタッチモードにおいて、前記指の前記位置を検出するために使用される前記電極区分グループ（Ｚ１．．．Ｚ５、Ｓ１．．．Ｓ９）が、適応的に交替させられることを特徴とし、例えば、それぞれの活性電極区分グループ（Ｚ１．．．Ｚ５、Ｓ１．．．Ｓ９）が、行を移動する態様または列を移動する態様で、前記ディスプレイデバイスを横断するように、該電極区分グループ（Ｚ１．．．Ｚ５、Ｓ１．．．Ｓ９）が、連続的に交替させられる、項目１〜１１の１つに記載のディスプレイデバイス。
（項目１３）
接触なしの位置または動き検出が意図されている前記切り換え状態において、各場合において、２つの電極区分グループが形成され、該２つの電極区分グループの容量性カップリングが検出されて、前記接近状態が該容量性カップリングから決定されることを特徴とする、項目１〜１２の１つに記載のディスプレイデバイス。
（項目１４）
タッチパッド構成要素であって、該タッチパッド構成要素は、
支持層（１）と、
該支持層（１）に接続されている電極層であって、該電極層は、複数の電極区分（２）に再分割され、該電極区分（２）は、区分行と区分列とを含む区分配列を形成している、電極層と、
解釈回路網（１０）と
を含み、該解釈回路網（１０）は、該解釈回路網（１０）が、接触検出が該電極層の該電極区分（２）によって実施される回路網状態を採用することがあるように、かつ該解釈回路網（１０）が、ユーザーの指の非接触位置または動き検出が、該タッチパッド構成要素の前の領域において実施されることがある回路網状態を採用することがあるように形成され、該非接触位置または動き検出は、該区分配列のうちのいくつかの電極区分（２）を行または列のような電極区分グループ（Ｚ１．．．Ｚ５、Ｓ１．．．Ｓ９）に結合させることによって、実施される、
タッチパッド構成要素。
（項目１５）
タッチパッド構成要素に対するユーザーの指の動きに関連した、入力信号を生成する方法であって、該タッチパッド構成要素は、支持層と、該支持層に接続されている電極とを含み、該電極層は、複数の電極区分に再分割され、該電極区分は、区分行と区分列とを含む区分配列を形成し、該区分行および区分列によって検出された該信号の解釈は、解釈回路網によって実施され、該解釈回路網は、該解釈回路網が、接触検出が該電極層の該電極区分によって実施される回路状態を該タッチパッド構成要素のために採用することがあるように、かつ該解釈回路網が、該ユーザーの指の非接触位置または動き検出が、該タッチパッド構成要素の前の領域において実施されることがあるさらなる回路網状態を採用することがあるように構成され、該非接触位置または動き検出は、該区分配列のうちのいくつかの電極区分を行または列のような電極区分グループに結合させることによって実施される、
方法。